(57)【要約】【課題】接続切替の瞬間においても信号が途切れることがなく、常時確実に信号を伝搬することのできる信号切替回路を提供すること。【解決手段】信号が入力される入力端子と、信号が出力される出力端子と、前記入出力端子間に択一的に接続される第一の電子回路および第二の電子回路と、前記第一および第二の電子回路を択一的に前記入出力端子間に選択接続させるスイッチング素子とを有する信号切替回路において、前記入出力端子間を常時接続する信号迂回経路を設け、前記スイッチング素子が開放状態になっている時においても、前記入力端子に入力される信号が前記信号迂回経路を介して前記出力端子に出力されることを特徴とする。【選択図】      図１
2007295481.tif 000002
【特許請求の範囲】
【請求項１】
信号が入力される入力端子と、信号が出力される出力端子と、前記入出力端子間に択一的に接続される第一の電子回路および第二の電子回路と、前記第一および第二の電子回路を択一的に前記入出力端子間に選択接続させるスイッチング素子とを有する信号切替回路において、
前記入出力端子間を常時接続する信号迂回経路を設け、
前記スイッチング素子が開放状態になっている時においても、前記入力端子に入力される信号が前記信号迂回経路を介して前記出力端子に出力される
ことを特徴とする信号切替回路。
【請求項２】
前記第一の電子回路および第二の電子回路のうち一方はスルー回路であるとともに、他方は抵抗減衰回路の一部を構成した回路であり、
前記信号迂回経路は抵抗を有しており、
前記抵抗減衰回路の一部を構成した回路が選択された時、前記信号迂回経路の抵抗が前記抵抗減衰回路の他の一部を構成する
ことを特徴とする請求項１に記載の信号切替回路。
【請求項３】
前記抵抗減衰回路は、前記信号迂回経路の抵抗が信号経路に対して並列に接続された形式のπ型抵抗減衰回路であることを特徴とする請求項２に記載の信号切替回路。
【請求項４】
前記信号はデジタル信号であることを特徴とする請求項１から請求項３のいずれか１項に記載の信号切替回路。
【発明の詳細な説明】
【技術分野】
【０００１】
本発明は信号切替回路に係り、特に信号を伝搬する際に信号の状態を切り替えて伝搬する信号切替回路に関する。
【背景技術】
【０００２】
図３はこの種の従来の信号切替回路の一例を象徴的に示したものである。この信号切替回路においては、入力端子１１に入力された信号をスイッチング素子１２ａ、１２ｂによって選択接続させたスルー回路１３若しくは減衰回路１４のいずれか一方を通して出力端子１５に伝搬させて、後段の電子回路（図示せず）に出力させるように形成されている。スイッチング素子１２ａ、１２ｂとしては、リレー、ＦＥＴスイッチ、ダイオードスイッチ等が用いられており、外部コントロール電圧によって切り替えている。
【０００３】
このような信号切替回路が用いられている例としては、デジタルダイバーシティ受信装置におけるアンテナ切替回路（特許文献１参照）や、入力レベル変更用減衰回路を信号ラインに挿入するための切替回路（特許文献２参照）等が挙げられる。
【０００４】
【特許文献１】特開２００４−１８６９１１号公報
【特許文献２】特開平０６−１３２８４４号公報
【発明の開示】
【発明が解決しようとする課題】
【０００５】
しかしながら、従来の信号切替回路においては、スイッチング素子の切替によって、瞬時ではあるが、デジタル信号およびアナログ信号にいずれであるかを問わずに当該信号がどの経路にも接続されない時間が生じてしまい、信号の途切れが発生してしまうという不都合があった。
【０００６】
特に、デジタルの高速通信網においては、瞬時であっても信号の途絶は避けなければならない。
【０００７】
また、高周波回路において、特にデジタル信号装置においては、入力された信号が一瞬でも途切れた場合、後段の回路においてデータ欠落によるエラーが発生してしまう不都合があった。
【０００８】
具体的には、前記特許文献１の課題の項目に記載されているように、デジタルダイバーシティ受信装置等においては、アンテナ切替の瞬間に信号が途切れるので、復調回路においてデジタル信号の同期がとれず、受信障害をまねくという問題が発生していた。
【０００９】
また、前記特許文献２の図２に示されたような入力レベル変更用減衰回路を信号経路に挿入するための切替回路においては、接続切替の瞬間に信号が途切れるので、後段にデジタル信号処理回路が接続されていると、同様の問題が発生するものであった。
【００１０】
本発明はこれらの点に鑑みてなされたものであり、接続切替の瞬間においても信号が途切れることがなく、常時確実に信号を伝搬することのできる信号切替回路を提供することを目的とする。
【課題を解決するための手段】
【００１１】
前記目的を達成するため、本発明に係る信号切替回路の特徴は、信号が入力される入力端子と、信号が出力される出力端子と、前記入出力端子間に択一的に接続される第一の電子回路および第二の電子回路と、前記第一および第二の電子回路を択一的に前記入出力端子間に選択接続させるスイッチング素子とを有する信号切替回路において、前記入出力端子間を常時接続する信号迂回経路を設け、前記スイッチング素子が開放状態になっている時においても、前記入力端子に入力される信号が前記信号迂回経路を介して前記出力端子に出力されることを特徴とする。
【００１２】
本発明の信号切替回路によれば、信号迂回経路が入出力端子間を常時接続しているので、スイッチング素子が開放状態になっている時であっても、入力端子に入力される信号が信号迂回経路を介して出力端子に出力されることとなり、接続切替の瞬間においても信号を途切れさせることがなく、常時確実に信号を伝搬させることができる。
【００１３】
また、本発明に係る他の信号切替回路の特徴は、前記第一の電子回路および第二の電子回路のうち一方はスルー回路であるとともに、他方は抵抗減衰回路の一部を構成した回路であり、前記信号迂回経路は抵抗を有しており、前記抵抗減衰回路の一部を構成した回路が選択された時、前記信号迂回経路の抵抗が前記抵抗減衰回路の他の一部を構成することを特徴とする。
【００１４】
本発明の信号切替回路によれば、第一および第二の電子回路の一方をスイッチング素子により選択接続させることにより、スルー回路と抵抗減衰回路とを選択接続させることができるとともに、信号迂回経路によって接続切替の瞬間においても信号を途切れさせることがなく常時確実に信号を伝搬させることができ、更に、信号迂回経路により抵抗減衰回路を完成させる他の一部を構成させて、信号切替回路自体の構成の簡略化、小型化を図ることができる。
【００１５】
また、本発明に係る他の信号切替回路の特徴は、前記抵抗減衰回路が前記信号迂回経路の抵抗が信号経路に対して並列に接続された形式のπ型抵抗減衰回路であることを特徴とする。
【００１６】
本発明の信号切替回路によれば、スイッチング素子により抵抗減衰回路を選択接続させた時には、信号経路に対して並列に接続された信号迂回経路の抵抗が減衰回路としてπ型抵抗減衰回路を構成することとなり、信号に対して確実な減衰作用を施して出力させることができる。
【００１７】
また、本発明に係る他の信号切替回路の特徴は、前記信号がデジタル信号であることを特徴とする。
【００１８】
本発明の信号切替回路によれば、信号の伝搬が途切れることによる後段の信号処理に大きな影響を与えるデジタル信号であっても、第一および第二の電子回路をスイッチング素子によって接続切替させる瞬間に信号を途切れさせることなく常時確実に信号を伝搬させることができる。
【発明の効果】
【００１９】
以上述べたように、本発明に係る信号切替回路によれば、接続切替の瞬間においても信号を途切れさせることなく常時確実に信号を伝搬させることができるという優れた作用効果を発揮することができる。
【発明を実施するための最良の形態】
【００２０】
以下、本発明に係る信号切替回路の一実施形態を図１および図２を参照して説明する。
【００２１】
図１および図２は、本実施形態の信号切替回路を示し、接続状態を切り替えた状態を示している。
【００２２】
図１および図２に示すように、本実施形態の信号切替回路は、信号が入力される入力端子１と、信号が出力される出力端子２とを有している。これらの入出力端子１、２間には、択一的に接続される第一の電子回路３および第二の電子回路４とが設けられているとともに、両電子回路３、４を択一的に入出力端子１、２間に選択接続させるスイッチング素子５ａ、５ｂが設けられている。スイッチング素子５ａ、５ｂとしては、リレー、ＦＥＴスイッチ、ダイオードスイッチ等を用いるとよく、外部コントロール電圧によって切り替えられるようになっている。更に、これらの入出力端子１、２間には両者を常時接続する信号迂回経路６が設けられている。また、両電子回路３、４のうちの一方の電子回路３はスルー回路とされて、入力端子１に入力された信号に変化を付与することなくそのまま出力端子２に伝搬させるように形成されている。他方の電子回路４は、両スイッチング素子５ａ、５ｂが接続されると入出力端子１、２にそれぞれ接続される２つの抵抗７ａ、７ｂを備えている。信号迂回経路６は入出力端子１、２間を結ぶ信号経路に対して並列に接続された抵抗６ａを有している。そして、電子回路４の両抵抗７ａ、７ｂと信号迂回経路６の抵抗６ａとは、両スイッチング素子５ａ、５ｂが電子回路４側に接続された時に、抵抗減衰回路の１形態であるπ型抵抗減衰回路を完成させるための回路の一部分を構成している。
【００２３】
次に、本実施形態の動作を図１および図２により説明する。
【００２４】
図１は両スイッチング素子５ａ、５ｂが第一の電子回路３のスルー回路に接続されている状態を示している。この接続状態においては、入力端子１に入力された信号は何らの変化も付与されることなくそのままスルー回路を通過して出力端子２に伝搬され、後段の電子回路等（図示せず）に出力される。
【００２５】
この図一の接続状態から外部コントロール電圧によって両スイッチング素子５ａ、５ｂを第一の電子回路３から第二の電子回路４に接続するように切り替える。この切替時間は数ナノ秒〜数マイクロ秒程度の非常に短時間で行なわれる。
【００２６】
本実施形態の信号切替回路によれば、信号迂回経路６が入出力端子１、２間を常時接続しているので、両スイッチング素子５ａ、５ｂが数ナノ秒〜数マイクロ秒程度の開放状態になっている切替時であっても、入力端子１に入力される信号が信号迂回経路６を介して出力端子２に出力されることとなる。従って、接続切替の瞬間においても信号を途切れさせることがなく、常時確実に伝搬させることができる。また、本実施形態の信号切替回路によれば、伝搬すべき信号がその伝搬が途切れることにより後段の信号処理に大きな影響を与えるデジタル信号であっても、第一および第二の電子回路３、４をスイッチング素子５ａ、５ｂによって接続切替させる瞬間においても信号を全く途切れさせることなく常時確実に伝搬させることができる。
【００２７】
更に、スイッチング素子５ａ、５ｂにより第二の電子回路４を選択接続させた時には、信号経路に対して並列に接続された信号迂回経路６の抵抗６ａと第二の電子回路４の抵抗７ａ、７ｂとが抗減衰回路としてのπ型抵抗減衰回路を構成することとなり、信号に対して確実な減衰作用を施して出力端子２に伝搬させて出力させることができる。
【００２８】
更に、本実施形態の信号切替回路によれば、信号迂回経路６に抵抗６ａを設けることにより、第一および第二の電子回路３、４の抵抗７ａ、７ｂとの組合せによって抵抗減衰回路を完成させることができ、信号切替回路自体の全体構成の簡略化、小型化を図ることができる。
【００２９】
なお、本発明は前記実施形態に限定されるものではなく、必要に応じて種々変更することが可能である。
【図面の簡単な説明】
【００３０】
【図１】本発明の信号切替回路の一実施形態を示す回路図
【図２】図１の信号切替回路の接続状態を切り替えた状態を示す回路図
【図３】従来の信号切替回路の一例を示す回路図
【符号の説明】
【００３１】
１  入力端子
２  出力端子
３  第一の電子回路（スルー回路）
４  第二の電子回路（抗減衰回路の一部）
５ａ、５ｂ  スイッチング素子
６  信号迂回経路
６ａ、７ａ、７ｂ  抵抗
【図１】
2007295481.tif 000003
【図２】
2007295481.tif 000004
【図３】
2007295481.tif 000005